(57)【要約】【課題】立体裁断のポケット付き構造を提供することを課題とする。【解決手段】本発明は、立体裁断のポケット付き構造であって、男性陰茎を収める第１の収納部と、男性陰嚢を収める第２の収納部とを備え、該第１の収納部と第２の収納部の間に外部と連通する通気開口部を有し、該第１の収納部、及び、第２の収納部を介して男性の陰茎と陰嚢を確実に隔離し、また、通気開口部を通じて外気が出入りできるようになり、第１の収納部、及び、第２の収納部の内部に爽快感や快適な効果を保持させる。【選択図】図３
2014037669.tif 000002
【特許請求の範囲】
【請求項１】
パンツの内部と連通する縫合部と、
前記縫合部に連通し、男性陰茎を収め、且つ、前記男性陰茎の先端部を覆う第１の収納部と、
前記第１の収納部に隣接し、且つ、前記縫合部に連通し、男性陰嚢を収める第２の収納部と、
を備える立体裁断のポケット付き構造。
【請求項２】
前記ポケット付き構造は、１枚の生地から縫い合わせて形成され、前記１枚の生地が輪片と、前記輪片の下方に位置する折り片とを更に含むことを特徴とする請求項１に記載の立体裁断のポケット付き構造。
【請求項３】
前記輪片が前記縫合部を形成する縫い代と、前記縫い代と前記折り目の一側を繋ぐ第１の側辺と前記縫い代と前記折り目の他側を繋ぎ、且つ、前記第１の側辺に縫い付けられた第２の側辺とを備え、前記折り片は前記縫い代の方向と逆する折り目と左右対称で、且つ、略三角形を呈する第１の片体と第２の片体とを備え、前記第１の片体が第１の外折り片と第１の内折り片とを含み、前記第２の片体が第２の外折り片と第２の内折り片とを含み、前記第１の外折り片は前記折り目の一側から延伸し、前記第１の側辺と繋ぐ第１の外辺と、第１の上段と前記第１の上段に対して一定の角度に折り、且つ、前記第１の上段と互いに縫い付ける第１の下段とを有する少なくとも１個の第１の裁ち目とを備え、前記第２の外折り片は前記折り目の他側から延伸し、前記第２の側辺と繋ぎ、また、前記第１の外辺と縫い付けられた第２の外辺と、第２の上段と前記第２の上段に対して一定の角度に折り、且つ、前記第２の上段と互いに縫い付ける第２の下段とを有する少なくとも１個の第２の裁ち目を備えることで、前記第１の外折り片と前記輪片とが前記第１の収納部を形成し、前記第１の内折り片は前記折り目から延伸し、且つ、前記第１、２の外折り片の間に位置し、前記第２の内折り片は前記折り目から延伸し、また、前記第１の内折り片と前記第２の外折り片の間に位置し、前記第２の内折り片を一定の角度に折って前記第１の内折り片と重ねて縫着することで、前記第１の内折り片と前記輪片とが前記第２の収納部を形成し、前記第１の収納部と前記第２の収納部の間に外部と連通する通気開口部を自然に形成することを特徴とする請求項２に記載の立体裁断のポケット付き構造。
【請求項４】
前記輪片の前記第１の側辺と前記第２の側辺は、前記縫い代と対称角度を各々形成し、前記折り片の前記第１の外辺と前記第２の外辺が前記折り目と対称角度を各々形成することを特徴とする請求項３に記載の立体裁断のポケット付き構造。
【請求項５】
前記輪片に近接する前記第１、２の側辺に互いに粘着、及び、分離できる第１のマジックテープを各々設け、前記第１の外折り片に近接する前記第１の外辺と前記第２の外折り片に近接する第２の外辺に互いに粘着、及び、分離できる第２のマジックテープを各々設けることを特徴とする請求項３に記載の立体裁断のポケット付き構造。
【請求項６】
前記第１の内折り片と前記第２の内折り片の交差重ね合わせ部分に互いに粘着、及び、分離できる第３のマジックテープを各々設けることを特徴とする請求項３に記載の立体裁断のポケット付き構造。
【請求項７】
前記第２の収納部が、外部と連通する第２の通気開口部を備えることを特徴とする請求項１に記載の立体裁断のポケット付き構造。
【請求項８】
前記第１の片体は、第１の裁ち目と第２の裁ち目とを備え、前記第１の裁ち目と前記第２の裁ち目により切欠部を形成し、前記第２の片体が第３の裁ち目と第４の裁ち目とを備え、前記第３の裁ち目と第４の裁ち目により別の切欠部を形成し、互いに縫い付けられる前記第１の外辺と前記第２の外辺の底部に接近するゾーンに切欠部を残して縫い合わせないことを特徴とする請求項４に記載の立体裁断のポケット付き構造。
【請求項９】
前記折り片は、第１の外折り片と、第２の外折り片と、前記第１の外折り片と前記第２の外折り片の間に位置する中間折り片とを含み、前記第１の外折り片と前記中間折り片の間に第１の裁ち目を備え、前記第２の外折り片と前記中間折り片の間に第２の裁ち目を備え、前記中間折り片を内方へ向けて折り、前記中間折り片の両側を接合して前記第１の収納部を形成し、前記第１の外折り片と前記第２の外折り片を交差重ね合わせて接合して前記第２の収納部を形成するすることを特徴とする請求項２に記載の立体裁断のポケット付き構造。
【請求項１０】
パンツと繋いでパンツの内部と互いに連通する縫合部と、
前記縫合部の下方に位置し、男性の陰茎、及び、陰嚢を収め、前記縫合部から離れた一端が密閉端で、且つ、貫通穴が袋体を貫通して外部に連通する袋体とを含む立体裁断のポケット付き構造。
【請求項１１】
前記ポケット付き構造は、１枚の生地から縫い合わせて形成され、前記１枚の生地が輪片と前記輪片の下方にある折り片を含み、前記輪片は縫い代と第１の側辺と第２の側辺とを備え、前記第１の側辺と前記第２の側辺が前記縫い代と対称角度を各々形成し、前記折り片は折り目と第１の外辺と第２の外辺とを備え、前記第１の外辺と前記第２の外辺が前記折り目と対称角度を各々形成することを特徴とする請求項１０に記載の立体裁断のポケット付き構造。
【請求項１２】
前記縫合部は、前記輪片の前記第１の側辺と前記第２の側辺の突合せ接合により形成され、前記折り片は第１の片体と第２の片体とを含み、前記第１の片体が前記第２の片体に対称し、第１の外辺と第１の内辺を備え、前記第２の片体が第２の外辺と第２の内辺とを備え、前記第１の片体の第１の外辺と前記第２の片体の第２の外辺が突合せて繋がれ、並びに、前記第１の片体と前記第２の片体を突合せて繋いだ後の底部から上に向かって一部を折り、折った部分を前記第１の内辺と前記第２の内辺に結合して前記袋体と前記貫通穴を形成することを特徴とする請求項１１に記載の立体裁断のポケット付き構造。
【請求項１３】
前記縫合部が、前記輪片の前記第１の側辺と前記第２の側辺を突合せて繋いで形成され、前記折り片が略三角形、或いは、台形で、且つ、前記第１の外辺と前記第２の外辺とを備え、前記第１の外辺は前記第２の外辺に対称し、第１の上段と第１の下段とを備え、前記第２の外辺が第１の上段と第１の下段と備え、前記折り片の底部を上に向けて折り、前記第１の外辺の前記第１の下段が前記第１の上段の一部に対応して繋ぎ、前記第２の外辺の前記第２の下段が前記第２の上段の一部に対応するように繋いで前記袋体と前記貫通穴を形成することを特徴とする請求項１１に記載の立体裁断のポケット付き構造。
【請求項１４】
前記縫合部と該パンツのいずれかに少なくとも１個の結合部材を設け、他に対応の少なくとも１個の突合せ接合部材を設けることを特徴とする請求項１、又は、請求項１０に記載の立体裁断のポケット付き構造。
【請求項１５】
前記結合部材は、紐止め、或いは、留め具であることを特徴とする請求項１４に記載の立体裁断のポケット付き構造。
【請求項１６】
互いに突合せて繋いだ前記第１の外辺と前記第２の外辺の底部に接近するゾーンに切欠部を残して縫い合わせないことを特徴とする請求項１２に記載の立体裁断のポケット付き構造。
【請求項１７】
前記第１の収納部の内側に外部と連通する切欠部を形成すること特徴とする請求項８、又は、請求項１６に記載の立体裁断のポケット付き構造。
【請求項１８】
前記結合部材は、前記縫い代の上から延出した前当て布、及び／或いは、後当て布で、前記パンツの突合せ接合部材が輪状部材とすることを特徴とする請求項１４に記載の立体裁断のポケット付き構造。
【請求項１９】
前記前当て布、及び／或いは、前記後当て布と前記ポケット付き構造は、同じ生地で裁縫してからなることを特徴とする請求項１８に記載の立体裁断のポケット付き構造。
【発明の詳細な説明】
【技術分野】
【０００１】
本発明は、ポケット付き構造に関し、特に、男性用の陰茎及び陰嚢を収納するためのポケット付き構造に関する。
【背景技術】
【０００２】
一般的な男性用パンツの快適な着用感は、素材の影響を受ける以外に、パンツ本体のデザインが更に着用に快適であるかどうかに係る重要な要因となっている。
【０００３】
パンツ本体のデザインについて言うと、市場において、ポケット付き男性用パンツが開発され、主に男性用パンツの前布部或いは股下部の近い箇所に収納空間を有するポケットを設けれることで、圧迫感がなく男性の陰茎及び陰嚢が包み込まれ、該陰茎及び陰嚢の表皮を下腹部や股間の皮膚と隔離することで男性用パンツの快適な着用感がアップし、長時間の歩行又は運動時における表皮の長時間の擦れによる損傷、並びに蒸れと湿気による不快感を避けることができる。
【先行技術文献】
【特許文献】
【０００４】
【特許文献１】台湾特許番号第Ｍ４０７６３１号
【特許文献２】国際出願番号ＰＣＴ／ＣＮ／２０１２／０７５７２１
【発明の概要】
【発明が解決しようとする課題】
【０００５】
本発明は、ポケットに陰茎と陰嚢を隔離する構造及び通気開口部を備えることで、着用後の爽快感や快適な効果を保持するための立体裁断のポケット付き構造を提供することを目的とする。
【課題を解決するための手段】
【０００６】
上記目的を達成するため、本発明が提供する立体裁断のポケット付き構造は、縫合部と、該縫合部に連通し、男性陰茎を収め、且つ該男性陰茎の先端部を覆う第１の収納部と、該第１の収納部に隣接し、且つ該縫合部に連通し、男性陰嚢を収める第２の収納部とを含む。該第１の収納部と第２の収納部の間及び／或いは第２の収納部に外部と連通する通気開口部を備える。
【０００７】
好ましくは、該縫合部がパンツの前開きと結合して一体となる。
【０００８】
好ましくは、該ポケット付き構造が単一の平面素材から略Ｗ字形に裁断され、左右対称で且つ略三角形を呈する第１の片体と第２の片体と、該第１の片体と第２の片体の間にある切欠部とを含む。
【０００９】
好ましくは、該ポケット付き構造が輪片と、該輪片の下方に位置し、該輪片と隣り合う折り目を備える折り片とを更に含む。
【００１０】
好ましくは、該折り片が第１の外折り片と第２の外折り片と第１の内折り片と第２の内折り片とを含む。輪片が該第１の外折り片と第２の外折り片と第１の内折り片と第２の内折り片を繋ぎ、且つ該第１の外折り片及び該第１の内折り片が該第２の外折り片及び該第２の内折り片と対称となる。
【００１１】
好ましくは、該輪片が該縫合部を形成する縫い代と、該縫い代と該折り目の一側を繋ぐ第１の側辺と該縫い代と該折り目の他側を繋ぎ、且つ該第１の側辺に縫い付けられた第２の側辺とを備える。該第１の外折り片は、該折り目の一側から延伸し、該第１の側辺と繋ぐ第１の外辺と、第１の上段と該第１の上段に対して一定の角度に折り且つ該第１の上段と互いに縫い付ける第１の下段とを有する少なくとも１個の第１の裁ち目とを備える。該第２の外折り片は、該折り目の他側から延伸し、該第２の側辺と繋ぎ且つ該第１の外辺と縫い付けられた第２の外辺と、第２の上段と該第２の上段に対して一定の角度に折り且つ該第２の上段と互いに縫い付ける第２の下段とを有する少なくとも１個の第２の裁ち目を備えることで、該第１の外折り片と該輪片とが該第１の収納部を形成する。該第１の内折り片は、該折り目から延伸し、且つ該第１、２の外折り片の間に位置する。該第２の内折り片は、該折り目から延伸し、且つ該第１の内折り片と該第２の外折り片の間に位置し、該第２の内折り片を一定の角度に折って該第１の内折り片と重ねて縫着することで、該第１の内折り片と該輪片とが該第２の収納部を形成する。好ましくは、該第１の外折り片が、該折り目から該縫い代の逆方向に向かって延伸し、該第１の裁ち目の第１の下段は該縫い代の方向に向けて一定の角度に折る。
【００１２】
好ましくは、該第２の外折り片が該折り目から該縫い代の逆方向に向かって延伸し、該第２の裁ち目の第２の下段が該縫い代の方向に向けて一定の角度に折る。
【００１３】
好ましくは、該輪片に近接する第１、２の側辺に互いに粘着及び分離できる第１のマジックテープ（登録商標）を各々設け、該第１の外折り片に近接する第１の外辺と該第２の外折り片に近接する第２の外辺に互いに粘着及び分離できる第２のマジックテープ（登録商標）を各々設ける。
【００１４】
該第１の内折り片と第２の内折り片の交差重ね合わせ部分に互いに粘着及び分離できる第３のマジックテープ（登録商標）を各々設ける。
【００１５】
好ましくは、該第１の内折り片及び該第２の内折り片が、実質的に三角形とする。
【００１６】
好ましくは、該第１の外折り片及び該第２の外折り片が、実質的に三角形或いは帯状とする。
【００１７】
好ましくは、該第２の収納部が、外部と連通する第２の通気開口部を備える。好ましくは、該第１の片体は第１の裁ち目と第２の裁ち目とを備え、該第１の裁ち目と第２の裁ち目により切欠部を形成し、該第２の片体が第３の裁ち目と第４の裁ち目とを備え、該第３の裁ち目と第４の裁ち目により別の切欠部を形成する。
【００１８】
好ましくは、該第１の片体と第２の片体の間に切欠部を備える。
【００１９】
好ましくは、該第１の片体が第１の外折り片及び第１の内折り片を形成し、該第２の片体が第２の外折り片及び第２の内折り片を形成する。
【００２０】
好ましくは、該第１の外折り片及び第２の外折り片が略帯状で、該第１の内折り片及び第２の内折り片が略三角形とする。
【００２１】
好ましくは、該輪片及び該折り片が略三角形或いは台形を形成する。
【００２２】
好ましくは、該折り片が略三角形或いは台形を形成する。
【００２３】
好ましくは、該縫合部に結合部材が設けられ、該前開きに該縫合部の結合部材と結合する突合せ接合部材を設ける。
【００２４】
好ましくは、該結合部材が紐止め或いは留め具で、該突合せ接合部材が突合せ接合穴とする。
【００２５】
好ましくは、該折り片が、第１の外折り片と、第２の外折り片と、該第１の外折り片と該第２の外折り片の間に位置する中間折り片とを含む。
【００２６】
好ましくは、該第１の外折り片と中間折り片の間に第１の裁ち目を備え、該第２の外折り片と中間折り片の間に第２の裁ち目を備える。
【００２７】
好ましくは、該中間折り片を内方へ向けて折り、中間折り片の両側を接合して該第１の収納部を形成し、該第１の外折り片と該第２の外折り片を交差重ね合わせて接合して該第２の収納部を形成する。
【００２８】
本発明は、別の立体裁断のポケット付き構造を提供し、パンツの内部と連通する縫合部と、該縫合部の下方に位置し、男性の陰茎及び陰嚢を収め、縫合部から離れた一端が密閉端で、且つ貫通穴が該袋体を貫通して外部に連通する袋体とを含む。
【００２９】
好ましくは、該縫合部がパンツの前開きと結合して一体となる。
【００３０】
好ましくは、該ポケット付き構造が、輪片と該輪片下方に位置する折り片とを更に含む。
【００３１】
好ましくは、該折り片が、第１の片体と第２の片体とを含み、且つ該第１の片体が該第２の片体に対称となる。
【００３２】
好ましくは、該第１の片体及び該第２の片体が、略三角形で、且つ該第１の片体が第１の外辺と第１の内辺とを備え、該第２の片体が第２の外辺と第２の内辺とを備える。
【００３３】
好ましくは、該縫合部が、該輪片の第１の側辺と第２の側辺を突合せて繋いで形成される。該第１の片体の第１の外辺と該第２の片体の第２の外辺を突合せて繋ぎ、また該第１の片体と該第２の片体を突合せて繋いだ後の底部から上に向かって一部を折り、折った部分を該第１の内辺と第２の内辺に結合する。
【００３４】
好ましくは、該折り片が、略三角形或いは台形で、且つ第１の外辺と第２の外辺とを備える。該第１の外辺は該第２の外辺に対称し、第１の上段と第１の下段とを備え、該第２の外辺が第１の上段と第１の下段と備える。
【００３５】
好ましくは、該縫合部が、該輪片の第１の側辺と第２の側辺を突合せて繋いで形成され、該折り片の底部を上に向けて折り、該第１の外辺の第１の下段が該第１の上段の一部に対応して繋ぎ、該第２の外辺の第２の下段が該第２の上段の一部に対応するように繋ぐ。
【００３６】
以下に、本発明の上記目的、採用する技術、手段及びその他の効果を更に明確に分かりやすくするため、好ましい具体的実施例を添付図面に基づいて説明する。
【図面の簡単な説明】
【００３７】
【図１】本発明とパンツの分離状態を示す立体図である。
【図２】本発明の展開状態を示す平面図である。
【図３】本発明の立体図である。
【図４】本発明の断面図である。
【図５】本発明の使用状態を示す図。
【図６Ａ】該輪片の第１、２の側辺及び該第１の外折り片の第１の外辺と該第２の外折り片の第２の外辺に互いに粘着及び分離できるマジックテープ（登録商標）が各々設けられた状態を示す立体図である。
【図６Ｂ】該第１の内折り片と第２の内折り片の交差重ね合わせ部分で互いに粘着及び分離できる第３のマジックテープ（登録商標）が設けられた様子を示す図である。
【図６Ｃ】該輪片の第１、２の側辺に互いに粘着及び分離できる第１のマジックテープ（登録商標）が各々設けられ、該第１の外折り片に近接する第１の外辺と該第２の外折り片に近接する第２の外辺に互いに粘着及び分離できる第２のマジックテープ（登録商標）が各々設けられ、第１の内折り片と第２の内折り片の交差重ね合わせ部分に互いに粘着及び分離できる第３のマジックテープ（登録商標）が設けられた様子を示す図である。
【図７】本発明の第２の収納部は外部に連通する穴を備える状態を示す立体図である。
【図８】本発明の単一の平面素材を略Ｗ字形生地として裁断した様子を示す図である。
【図９】本発明のＷ字形生地の上に第１の片体及び第２の片体を裁った様子を示す図である。
【図１０】本発明の裁った後の様子を示す図である。
【図１１】本発明の別の裁ちを示す図である。
【図１２】図１１の裁った後の様子を示す図である。
【図１３】本発明の別のポケットを形成する裁ちを示す図である。
【図１４】図１３のポケットを形成した立体図である。
【図１５】図１３の別の折り片を示す図である。
【図１６】本発明の他のポケット構造を示す図である。
【図１７】本発明の他のポケット構造を形成した平面素材を示す図である。
【図１８】本発明の他のポケット構造形成の透視図である。
【図１９】本発明の他のポケット構造形成の透視図である。
【図２０】本発明の他のポケット構造の第２の実施形態を示す図である。
【図２１】本発明の他のポケット構造の第２の実施形態を形成した平面素材を示す図である。
【図２２】本発明の他のポケット構造の第２の実施形態形成の透視図である。
【図２３】本発明の他のポケット構造の第２の実施形態形成の透視図である。
【図２４】本発明のポケット付き構造と前開きを留め具で結合した様子を示す図である。
【図２５】本発明のポケット付き構造と前開きを紐止めで結合した様子を示す図である。
【発明を実施するための形態】
【００３８】
図１乃至図５を参照しなから説明する。図１乃至図５に示すように、本発明の実施例で提供する立体裁断のポケット付き構造は、前開き１１を有するパンツ１０に結合することに適し、本実施例の中ではボクサーパンツを例にし、ブリーフパンツでもできるが、これに限定されないものではない。
【００３９】
該ポケット付き構造は、縫合部と第１の収納部２１と第２の収納部２２と第１の通気開口部２３とを含む。且つポケット付き構造は、１枚のＷ字形生地を裁断して形成する。該１枚のＷ字形生地は、輪片３０と該輪片３０下方に位置する折り片Ｘ１とを含む。該折り片Ｘ１は、該輪片３０に隣接する折り目３２を備え、且つ第１の外折り片４０と第２の外折り片５０と第１の内折り片６０と第２の内折り片７０とを含む。
【００４０】
該Ｗ字形生地は、少なくとも１個の第１の裁ち目４２の位置から裁って第１の外折り片４０と第１の内折り片６０を形成する。該Ｗ字形生地は、少なくとも１個の第２の裁ち目５２の位置から裁って第２の外折り片５０と第２の内折り片７０を形成する。該第１の外折り片４０と該第１の内折り片６０は、該第２の外折り片５０と該第２の内折り片７０と対称となる。
【００４１】
該Ｗ字形生地の両側斜辺３４、５１と３３、４１を突き合わせて縫い合わせることで該袋体を形成する。
【００４２】
該第１の外折り片４０及び第２の外折り片５０を同時に内方へ折り、また第１の上段４２１と第１の下段４２２を縫い合せ、第２の上段５２１と第２の下段５２２を縫い合せて第１の収納部２１を形成する。該第１の収納部２１は該縫合部に連通することで、該パンツ１０内部と互いに連通し、且つ男性陰茎８１を収めると共に該陰茎８１の先端部を覆い、これを介して先端部の残尿を吸収する。
【００４３】
該第１の内折り片６０及び第２の内折り片７０を対向に折って重ね合わせて縫い合せて第２の収納部２２を形成する。該第２の収納部２２は、該第１の収納部２１に連接し、且つ該縫合部に連通することで該パンツ１０内部と互いに連通し、男性陰嚢８２を収める。
【００４４】
該第１の通気開口部２３は、該第１、２の収納部２１、２２の間に位置し、該ポケット付き構造に連通すると共に該パンツ１０内部と互いに連通する。
【００４５】
該輪片３０は、該第１の外折り片４０と第１の内折り片６０及び該第２の外折り片５０と第２の内折り片７０を繋ぐ。該輪片３０は、該縫合部を構成し、該パンツ１０前開き１１に縫い付けるための縫い代３１と、該縫い代３１と該折り目３２の一側に繋ぐ第１の側辺３３と、該縫い代３１と該折り目３２の他側に繋ぎ、且つ該第１の側辺３３と突き合わせて縫い合わせる第２の側辺３４とを備える。
【００４６】
該第１の外折り片４０は、該折り目３２の一側から延伸し、該第１の側辺３３と繋ぐ第１の外辺４１と第１の裁ち目４２とを備える。該第１の裁ち目４２は、第１の上段４２１と該第１の上段４２１に対して一定の角度に折り且つ該第１の上段４２１と互いに縫い付けられた第１の下段４２２とを備える。本実施例において該第１の外折り片４０は、該折り目３２から該縫い代３１の逆方向に向かって延伸し、該第１の裁ち目４２の第１の下段４２２が該縫い代３１の方向に向かって一定の角度に折って該第１の外折り片４０を円弧に折る。
【００４７】
該第２の外折り片５０は、該折り目３２の他側から延伸し、該第２の側辺３４と繋ぎ、且つ該第１の外辺４１に縫い付けられた第２の外辺５１と、第２の裁ち目５２とを備える。該第２の裁ち目５２は、第２の上段５２１と該第２の上段５２１に対して一定の角度に折り、且つ該第２の上段５２１と互いに縫い付けられた第２の下段５２２とを備えることで、該第１の外折り片４０と該輪片３０とが該第１の収納部２１を形成する。本実施例において、該第２の外折り片５０は、該折り目３２から該縫い代３１の逆方向に向かって延伸し、該第２の裁ち目５２の第２の下段５２２が該縫い代３１の方向に向けて一定の角度に折って該第２の外折り片５０を円弧に折る。
【００４８】
該第１の内折り片６０は、該折り目３２から延伸し、且つ該第１、２の外折り片４０、５０の間に位置する。
【００４９】
該第２の内折り片７０は、該折り目３２から延伸し、且つ該第１の内折り片６０と該第２の外折り片５０の間に位置し、該第２の内折り片７０を一定の角度に折って該第１の内折り片６０と重ね合わせて縫着し、これを介して該第１の内折り片６０と該輪片３０とが該第２の収納部２２を形成する。
【００５０】
以上に述べるのは、本発明の実施例の各主要構成要素の構造及びその構成説明である。
【００５１】
これにより、本発明のポケット付き構造は同時に男性の陰茎８１及び陰嚢８２を収めることができるため、該陰茎８１及び陰嚢８２の表皮を下腹部や股間の皮膚と隔離することで男性用パンツ着用時の快適性をアップできる。
【００５２】
本発明のポケット付き構造は、男性陰茎８１を収めるための第１の収納部２１と男性陰嚢８２を収めるための第２の収納部２２とを備えるため、男性が本発明を着用している時、本発明で男性の陰茎８１と陰嚢８２を確実に隔離し、パンツ着用後の爽快感や快適な効果を奏することができる。
【００５３】
本発明のポケット付き構造は、該第１、２の収納部２１、２２の間に第１の通気開口部２３が設けられるため、該第１の通気開口部２３を通じて該ポケット付き構造内の第１、２の収納部２１、２２及び該パンツと外部間に対流効果を持たせて着用後に生じる蒸れた感じを軽減し、且つ第１の通気開口部２３から捲り上げることで、第１の収納部内２１にある陰茎を該第１の通気開口部２３から出して放尿きる。
【００５４】
次に、図６Ａを参照しながら説明する。図６Ａに示すように、本発明の各縫付部も粘着方法で突合せて接合できる。本発明は、該輪片３０に近接する第１、２の側辺３３、３４に互いに粘着及び分離できる第１のマジックテープ（登録商標）８６が設けられ、該第１の外折り片４０に近接する第１の外辺４１と該第２の外折り片５０に近接する第２の外辺５１に互いに粘着及び分離できる第２のマジックテープ（登録商標）８７が各々設ける。これをもって、利用者はニーズを見て該輪片３０の第１、２の側辺３３、３４の互いに重ね合わせて粘着する部分及び該第１の外折り片４０の第１の外辺４１と該第２の外折り片５０の第２の外辺５１との互いに重ね合わせて粘着する部分を変更して該第１の収納部２１の大きさを調整できる。
【００５５】
また、図６Ｂに示すように、第１の内折り片６０と第２の内折り片７０との交差重ね合わせ部分に互いに粘着及び分離できる第３のマジックテープ（登録商標）８８を設けて該第２の収納部２２の大きさを調整できる。
【００５６】
このほかに、図６Ｃに示すように、該輪片３０の第１、２の側辺３３、３４に互いに粘着及び分離できる第１のマジックテープ（登録商標）８６’を各々設け、該第１の外折り片４０に近接する第１の外辺４１と該第２の外折り片５０に近接する第２の外辺５１に互いに粘着及び分離できる第２のマジックテープ（登録商標）８７’を各々設け、第１の内折り片６０と第２の内折り片７０との交差重ね合わせ部分に互いに粘着と分離できる第３のマジックテープ（登録商標）８８’を設け、第１のマジックテープ（登録商標）８６’と第２のマジックテープ（登録商標）８７’を通じて該第１の収納部２１の大きさを調整し、第３のマジックテープ（登録商標）８８’を通じて該第２の収納部２２の大きさを調整する。
【００５７】
更に、図７に示すように、該第２の内折り片７０を一定の角度に折って該第１の内折り片６０と重ね合わせて縫着することで形成した該第２の収納部２２は、外部と連通する第２の通気開口部２２１を備え、該第２の通気開口部２２１を通じて該第２の収納部２２内の陰嚢と外部の間に対流効果を持たせ、着用後に生じる蒸れた感じを軽減する。
【００５８】
引き続き図８乃至図１０を参照しながら説明する。図８乃至図１０に示すように、前記Ｗ字形生地は、前記実施形態に限定されるものではなく、この図で示すように輪片３０’及び該折り片Ｘ１’は、単一の平面素材０１（例えば１枚の布）から略Ｗ字形として裁断し、該折り片Ｘ１’は左右対称で且つ略三角形を呈する第１の片体１２と第２の片体１３とを備える。
【００５９】
第１の片体１２に設けられた少なくとも１個の第１の裁ち目１２１は、該三角形の頂点に隣接する。該第２の片体１３に設けられた少なくとも１個の第２の裁ち目１３１は、該三角形の頂点に隣接する。
【００６０】
該第１の裁ち目１２１及び第２の裁ち目１３１の裁ちを介して、第１の片体１２及び第２の片体１３を２つの小さいな第１の内折り片１４１と第２の内折り片１５１及び２つの大きな第１の外折り片１４２と第２の外折り片１５２として裁断する。
【００６１】
前記第１の内折り片６０、１４１及び第２の内折り片７０、１５１と第１の外折り片４０、１４２及び第２の外折り片５０、１５２は、図面の中に三角形として表示しているがこれに限定されるものではない。
【００６２】
また、図１１及び図１２は、別の生地を裁断して２つの内折り片及び２つの外折り片を示す図である。生地９０を該輪片３０’’及び該折り片Ｘ１’’として裁断し、該折り片Ｘ１’’は左右に対称する第１の片体９１と第２の片体９２と、該第１の片体９１と第２の片体９２の間に位置する切欠部９０１とを備える。該第１の片体９１に第１の裁ち目９１１及び第２の裁ち目９１２が設けられ、該第１の裁ち目９１１及び第２の裁ち目９１２で三角形面積９３を構成する。該第２の片体９２に第３の裁ち目９２１及び第４の裁ち目９２２が設けられ、該第３の裁ち目９２１及び第４の裁ち目９２２で三角形面積９４を構成する。該第１の裁ち目９１１及び第２の裁ち目９１２に沿って裁つことで該三角形面積９３を裁断して切欠部を形成し、また該第３の裁ち目９２１及び第４の裁ち目９２２に沿って裁つことで該三角形面積９４を裁断して別の切欠部を形成する。
【００６３】
上記の裁断により第１の片体９１は第１の外折り片９７１及び第１の内折り片９７２を形成し、該第２の片体９２が第２の外折り片９８１及び第２の内折り片９８２を形成する。該第１の外折り片９７１及び該第２の外折り片９８１は略帯状で、該第１の内折り片９７２及び第２の内折り片９８２が略三角形或いは多角形とする。
【００６４】
次に本発明の他のポケット付き構造を形成した様子を示す図１３及び図１４を参照しながら説明する。該輪片３０’’’及び該折り片Ｘ１’’’を裁断して略三角形或いは多角形を形成する。該輪片３０’’’は、先に述べたのと同じように、該縫合部を構成し、また該パンツ１０の前開き１１に縫い付けるための縫い代３１’’’と、該縫い代３１’’’と該折り目３２’’’の一側に繋ぐ第１の側辺３３’’’と該縫い代３１’’’と該折り目３２’’’の他側に繋ぎ且つ該第１の側辺３３’’’と突合せにして縫い合せる第２の側辺３４’’’とを備える。
【００６５】
該折り片Ｘ１’’’は、該輪片３０’’’に隣接する折り目３２’’’を備え、また第１の外折り片ａ１０と、第２の外折り片ａ２０と、該第１の外折り片ａ１０と該第２の外折り片ａ２０の間に位置する中間折り片ａ３０とを含む。該第１の外折り片ａ１０と中間折り片ａ３０の間に第１の裁ち目ａ４１を備え、該第２の外折り片ａ２０と中間折り片ａ３０の間に第２の裁ち目ａ４２を備え、該第１の外折り片ａ１０が第１の外側辺ａ１０１を備え、該第２の外折り片ａ２０が第２の外側辺ａ２０１を備える。
【００６６】
該中間折り片ａ３０を内方へ向かって折り、また中間折り片ａ３０の両側、つまり第１の裁ち目ａ４１の折り代及び第２の裁ち目ａ４２の折り代をそれぞれ接合（接合方法は縫い合わせ或いはマジックテープ（登録商標）による粘着）することで該第１の収納部２１’’’を形成し、該第１の外折り片ａ１０と該第２の外折り片ａ２０を交差重ね合わせて接合して該第２の収納部２２’’’を形成し、該第１の外側辺ａ１０１と該第２の外側辺ａ２０１と該折り目３２’’’とが共同で第２の通気開口部２２１’’’を囲って形成する。そして第１の通気開口部２３’’’が該第１の収納部２１’’’と第２の収納部２２’’’の間に形成される。
【００６７】
また図１５に示すように、本実施例の前述の図面に該折り片Ｘ１’’’が三角形でると表示しているが、これに限定されるものではなく、該折り片Ｘ１’’’’は台形にもできる。
【００６８】
図１６に示すのは、他のポケット付き構造であって、縫合部と袋体６２とを含む。該縫合部は、パンツの内部と互いに連通し、該袋体６２が該縫合部の下方に位置し、男性の陰茎及び陰嚢を収め、該袋体６２の縫合部から離れた一端が密閉端６２１で、且つ貫通穴６３が該袋体６２を貫通して外部と連通する。
【００６９】
図１７乃至図１９に示すように、前記袋体６２は、１枚のＷ字形生地から裁断して形成される。該１枚のＷ字形生地は、輪片３０’’’’’と折り片Ｘ１’’’’’とを含む。該折り片Ｘ１’’’’’は、該輪片３０’’’’’下方に該輪片３０’’’’’と隣接する折り目３２’’’’’を備える。該輪片３０’’’’’は、先に述べたのと同じように、該縫合部を構成すると共にパンツ１０の前開き１１と結合するための縫い代３１’’’’’と、該縫い代３１’’’’’と該折り目３２’’’’’の一側に繋ぐ第１の側辺３３’’’’’と、該縫い代３１’’’’’と該折り目３２’’’’’の他側に繋ぎ、且つ該第１の側辺３３’’’’’と突合せにして縫い合せる第２の側辺３４’’’’’とを備える。
【００７０】
該折り片Ｘ１’’’’’は、略三角形を呈し第２の片体ｂ２０に対称する第１の片体ｂ１０と、略三角形を呈する第２の片体ｂ２０と、該第１の片体ｂ１０と第２の片体ｂ２０の間にある切欠部ｂ３０とを含む。該第１の片体ｂ１０は、第１の外側辺ｂ１０１と第１の内側辺ｂ１０２とを備え、該第２の片体ｂ２０が第２の外側辺ｂ２０１と第２の内側辺ｂ２０２とを備える。
【００７１】
該縫合部は、該輪片３０’’’’’の第１の側辺３３’’’’’と第２の側辺３４’’’’’の突合せ接合により形成され、該第１の片体ｂ１０の第１の外辺ｂ１０１と該第２の片体ｂ２０の第２の外辺ｂ２０１を突合せ接合し、また該第１の片体ｂ１０及び該第２の片体ｂ２０の突合せ接合後の底部が上に向かって一部を折り、また折った部分を該第１の内辺ｂ２０２と第２の内辺ｂ１０２に結合する。
【００７２】
図２０に示すのは、他のポケット付き構造であって、縫合部と袋体７２とを含む。該縫合部は、パンツの内部と互いに連通し、該袋体７２が該縫合部の下方に位置し、男性の陰茎及び陰嚢を収め、該袋体７２の縫合部から離れた一端が密閉端７２１で、且つ貫通穴７３が該袋体７２を貫通して外部と連通する。
【００７３】
図２１に示すように、前記袋体７２は、１枚の生地から裁断して形成される。該１枚の形生地は、輪片３０’’’’’’と折り片Ｘ１’’’’’’とを含む。該折り片Ｘ１’’’’’’は、該輪片３０’’’’’’下方に該輪片３０’’’’’’と隣接する折り目３２’’’’’’’を備える。該輪片３０’’’’’’は、先に述べたのと同じように、該縫合部を構成すると共にパンツ１０の前開き１１と結合するための縫い代３１’’’’’’と、該縫い代３１’’’’’’と該折り目３２’’’’’’の一側に繋ぐ第１の側辺３３’’’’’’と、該縫い代３１’’’’’’と該折り目３２’’’’’’の他側に繋ぎ、且つ該第１の側辺３３’’’’’’と突合せにして縫い合せる第２の側辺３４’’’’’’とを備える。
【００７４】
該折り片Ｘ１’’’’’’は、略三角形或いは台形で、この図面において三角形を表示し、且つ第１の外辺ｃ１０１と第２の外辺ｃ１０２とを備える。該第１の外辺ｃ１０１が該第２の外辺ｃ１０２に対称し、且つ該第１の外辺ｃ１０１が第１の上段ｃ１０１１と第１の下段ｃ１０１２とを備え、該第２の外辺ｃ１０２が第１の上段ｃ１０２１と第１の下段ｃ１０２２とを備える。
【００７５】
図２２と図２３に示すように、該縫合部は、該輪片３０’’’’’’の第１の側辺３３’’’’’’と第２の側辺３４’’’’’’の突合せ接合により形成され、該折り片Ｘ１’’’’’’の底部が上に向かって折り、該第１の外辺ｃ１０１の第１の下段ｃ１０１２が該第１の上段ｃ１０１１の一部に対応して結合し、該第２の外辺ｃ１０２の第２の下段ｃ１０２２が該第２の上段ｃ１０２１の一部に対応して結合する。
【００７６】
次に、図２４と図２５を参照しながら説明する。図２４と図２５に示すように、前記縫合部とパンツ１０’の前開き１１’は、縫い合せる方法以外に、縫合部又は前開き１１’或いは任意の従来の男性用パンツのいずれかに少なくとも１個の結合部材１１１を設け、他のことろに対応の突合せ接合部材１１２を設けて該結合部材１１１と結合できる。該結合部材１１１は留め具（図２４）或いは紐止め（図２５）で、該突合せ接合部材１１２が突合せ接合穴とする。
【００７７】
更に、特許文献１或いは特許文献２に示す技術は、該縫合部をパンツ１０’の前開き１１’に縫い付けることなく、縫合部の縫い代３１の上から前当て布及び／或いは後当て布を延出して該結合部材１１１として男性用パンツの輪状部材に縫い付けられ、該輪状部材が該突合せ接合部材１１２となる。同時に該技術に示すように該前当て布及び／或いは後当て布と該ポケット付き構造は、同じ生地で裁縫してからなる。
【００７８】
以上の、好ましい実施例を用いて、本発明の技術的内容を例示的に説明するだけであって、本発明の保護範囲は、実施例で開示されるものに限定されることなく、本発明の特許請求の範囲を逸脱しない限りにおいて行う種々の改良変更をなし得ることは本発明の保護範囲内に含めるものであるのが勿論である。
【符号の説明】
【００７９】
１０、１０’  パンツ
１１、１１’  前開き
１１１  結合部材
１１２  突合せ接合部材
２１  第１の収納部
２２  第２の収納部
２３  第１の通気開口部
２２１  第２の通気開口部 
Ｘ１〜Ｘ１’’’’’’  折り片
３０〜３０’’’’’’  輪片
３１〜３１’’’’’’  縫い代
３２〜３２’’’’’’  折り目
３３〜３３’’’’’’  第１の側辺
３４〜３４’’’’’’  第２の側辺
４０  第１の外折り片
４１  第１の外辺
４２  第１の裁ち目
４２１  第１の上段
４２２  第１の下段
５０  第２の外折り片
５１  第２の外辺
５２  第２の裁ち目
５２１  第２の上段
５２２  第２の下段
６０  第１の内折り片
７０  第２の内折り片
３４、５１、３３、４１  斜辺
４２１  第１の上段
４２２  第１の下段
５２１  第２の上段
５２２  第２の下段
８１  陰茎
８２  陰嚢
８６、８６’  第１のマジックテープ（登録商標）
８７、８７’  第２のマジックテープ（登録商標）
８８、８８’  第３のマジックテープ（登録商標）
０１  平面素材
１２  第１の片体
１２１  第１の裁ち目
１３  第２の片体
１３１  第２の裁ち目
１４１  第１の内折り片
１４２  第１の外折り片
１５１  第２の内折り片
１５２  第２の外折り片
９０  生地
９０１  切欠部
９１  第１の片体
９１１  第１の裁ち目
９１２  第２の裁ち目
９３  三角形面積
９２  第２の片体
９２１  第３の裁ち目
９２２  第４の裁ち目
９４  三角形面積
９７１  第１の外折り片
９７２  第１の内折り片
９８１  第２の外折り片
９８２  第２の内折り片
ａ１０  第１の外折り片
ａ２０  第２の外折り片
ａ３０  中間折り片
ａ４１  第１の裁ち目
ａ４２  第２の裁ち目
ａ１０１  第１の外側辺
ａ２０１  第２の外側辺
２１’’’  第１の収納部
２２’’’  第２の収納部
２３’’’  第１の通気開口部
２２１’’’  第２の通気開口部
６２  袋体
６２１  密閉端
６３  貫通穴
ｂ１０  第１の片体
ｂ２０  第２の片体
ｂ３０  切欠部
ｂ１０１  第１の外側辺
ｂ１０２  第１の内側辺
ｂ２０1  第２の外側辺
ｂ２０２  第２の内側辺
７２  袋体
７２１  密閉端
７３  貫通穴
ｃ１０１  第１の外辺
ｃ１０１１  第１の上段
ｃ１０１２  第１の下段
ｃ１０２  第２の外辺
ｃ１０２１  第１の上段
ｃ１０２２  第１の下段
【図１】
2014037669.tif 000003
【図２】
2014037669.tif 000004
【図３】
2014037669.tif 000005
【図４】
2014037669.tif 000006
【図５】
2014037669.tif 000007
【図６Ａ】
2014037669.tif 000008
【図６Ｂ】
2014037669.tif 000009
【図６Ｃ】
2014037669.tif 000010
【図７】
2014037669.tif 000011
【図８】
2014037669.tif 000012
【図９】
2014037669.tif 000013
【図１０】
2014037669.tif 000014
【図１１】
2014037669.tif 000015
【図１２】
2014037669.tif 000016
【図１３】
2014037669.tif 000017
【図１４】
2014037669.tif 000018
【図１５】
2014037669.tif 000019
【図１６】
2014037669.tif 000020
【図１７】
2014037669.tif 000021
【図１８】
2014037669.tif 000022
【図１９】
2014037669.tif 000023
【図２０】
2014037669.tif 000024
【図２１】
2014037669.tif 000025
【図２２】
2014037669.tif 000026
【図２３】
2014037669.tif 000027
【図２４】
2014037669.tif 000028
【図２５】
2014037669.tif 000029